(57)【特許請求の範囲】
【請求項１】
複数の信号を含む第１信号群を読み込む読込手段と、
複数の信号を含む第２信号群が記憶された記憶手段と、
前記読込手段によって読み込まれた第１信号群に含まれる信号と前記記憶手段に記憶された第２信号群に含まれる信号のうち第１信号群に含まれる当該信号に対応する信号との類似度を、第１信号群に含まれる複数の信号について算出する第１類似度算出手段と、
前記第１類似度算出手段によって算出された複数の類似度に基づいて、前記読込手段によって読み込まれた第１信号群と前記記憶手段に記憶された第２信号群との類似度を算出する第２類似度算出手段と、
前記記憶手段に記憶された第２信号群に含まれる信号の中から除外信号を特定する特定手段と、
を備え、
前記記憶手段に複数の第２信号群が記憶され、
前記第１類似度算出手段は、前記読込手段によって読み込まれた第１信号群と前記記憶手段に記憶された各第２信号群とについて信号間の類似度を算出し、
前記第２類似度算出手段は、前記読込手段によって読み込まれた第１信号群と前記記憶手段に記憶された各第２信号群との類似度を算出し、
第１信号群及び各第２信号群は、エレベータに備えられた複数のセンサからの信号を含み、
各第２信号群は、エレベータの故障箇所を示す故障情報と紐付けて前記記憶手段に記憶され、
前記特定手段は、同じ故障情報が紐付けられた第２信号群について対応する信号間の類似度を算出し、その故障情報について類似度のばらつきが閾値を超える信号を特定し、全ての故障情報について類似度のばらつきが閾値を超える信号を除外信号に特定し、
前記第１類似度算出手段は、前記特定手段によって特定された除外信号については、信号間の類似度を算出しない検索システム。
【請求項２】
表示器を制御する表示制御部を更に備え、
前記表示制御部は、前記第２類似度算出手段によって算出された類似度と第２信号群に紐付けられた故障情報とに基づいて、発生している可能性が高い故障箇所を前記表示器に表示させる請求項１に記載の検索システム。
【請求項３】
表示器を制御する表示制御部を更に備え、
前記表示制御部は、前記第２類似度算出手段によって算出された類似度順に、第２信号群を示す情報を前記表示器に表示させる請求項１に記載の検索システム。
【請求項４】
第１信号群及び各第２信号群は、信号長が異なる複数の信号を含み、
前記第１類似度算出手段は、類似度の最大値が信号長に因らず同じ値になるように信号間の類似度を算出する請求項１から請求項３の何れか一項に記載の検索システム。
【請求項５】
第１信号群及び各第２信号群は、重要度及び信号長が異なる複数の信号を含み、
前記第１類似度算出手段は、重要度が同じ信号については、類似度の最大値が信号長に因らず同じ値になるように信号間の類似度を算出する請求項１から請求項３の何れか一項に記載の検索システム。
【発明の詳細な説明】
【技術分野】
【０００１】
この発明は、故障の原因等を推定するために利用可能な検索システムに関する。
【背景技術】
【０００２】
特許文献１に、プラントで発生した異常を検知するためのシステムが記載されている。特許文献１に記載されたシステムでは、取得したデータと学習データを部分空間法でモデル化した部分空間との距離関係に基づいて、取得したデータの異常を検知する。
【先行技術文献】
【特許文献】
【０００３】
【特許文献１】特許第５３０１３１０号公報
【発明の概要】
【発明が解決しようとする課題】
【０００４】
例えば、エレベータで故障が発生すると、故障発生前後のある一定時間に対して、エレベータに備えられた多数のセンサの状態を示す信号値のスナップショットを取得する。この信号値のスナップショットを本明細書ではトレースデータと称する。従来では、新たなトレースデータが取得された場合に、このトレースデータに類似する過去のトレースデータを検索することができなかった。このような検索は、例えばトレースデータから故障原因を推定するために有用である。
【０００５】
この発明は、上述のような課題を解決するためになされた。この発明の目的は、複数の信号を含む信号群に類似する信号群を簡単な構成によって検索できる検索システムを提供することである。
【課題を解決するための手段】
【０００６】
この発明に係る検索システムは、複数の信号を含む第１信号群を読み込む読込手段と、複数の信号を含む第２信号群が記憶された記憶手段と、読込手段によって読み込まれた第１信号群に含まれる信号と記憶手段に記憶された第２信号群に含まれる信号のうち第１信号群に含まれる当該信号に対応する信号との類似度を、第１信号群に含まれる複数の信号について算出する第１類似度算出手段と、第１類似度算出手段によって算出された複数の類似度に基づいて、読込手段によって読み込まれた第１信号群と記憶手段に記憶された第２信号群との類似度を算出する第２類似度算出手段と、前記記憶手段に記憶された第２信号群に含まれる信号の中から除外信号を特定する特定手段と、を備える。記憶手段に複数の第２信号群が記憶される。第１類似度算出手段は、読込手段によって読み込まれた第１信号群と記憶手段に記憶された各第２信号群とについて信号間の類似度を算出する。第２類似度算出手段は、読込手段によって読み込まれた第１信号群と記憶手段に記憶された各第２信号群との類似度を算出する。第１信号群及び各第２信号群は、エレベータに備えられた複数のセンサからの信号を含む。各第２信号群は、エレベータの故障箇所を示す故障情報と紐付けて記憶手段に記憶される。特定手段は、同じ故障情報が紐付けられた第２信号群について対応する信号間の類似度を算出し、その故障情報について類似度のばらつきが閾値を超える信号を特定し、全ての故障情報について類似度のばらつきが閾値を超える信号を除外信号に特定する。第１類似度算出手段は、特定手段によって特定された除外信号については、信号間の類似度を算出しない。
【発明の効果】
【０００７】
この発明に係る検索システムであれば、複数の信号を含む信号群に類似する信号群を簡単な構成によって検索できる。
【図面の簡単な説明】
【０００８】
【図１】この発明の実施の形態１における検索システムの構成例を示す図である。
【図２】トレースデータの例を示す図である。
【図３】この発明の実施の形態１における検索システムの動作例を示すフローチャートである。
【図４】第１類似度算出部の機能を説明するための図である。
【図５】第１類似度算出部の機能を説明するための図である。
【図６】表示器の表示例を示す図である。
【図７】信号間の類似度の最大値が信号長に依存する例を示す図である。
【図８】この発明の実施の形態２における検索システムの構成例を示す図である。
【図９】この発明の実施の形態２における検索システムの動作例を示すフローチャートである。
【図１０】この発明の実施の形態３における検索システムの動作例を示すフローチャートである。
【図１１】表示器の表示例を示す図である。
【図１２】検索装置のハードウェア構成を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、この発明の実施の形態１における検索システムの構成例を示す図である。検索装置１は、遠隔の多数のエレベータ装置と通信が可能である。各エレベータ装置は、例えばかご２及びつり合いおもり３を備える。かご２及びつり合いおもり３は、主ロープ４によって昇降路に吊り下げられる。エレベータの巻上機は、例えば駆動綱車５及び電動機６を備える。駆動綱車５に主ロープ４が巻き掛けられる。駆動綱車５は、電動機６によって駆動される。電動機６は、制御盤７によって制御される。制御盤７に通信装置８が接続される。通信装置８は、外部の機器との通信を行う。各エレベータ装置は、通信装置８によって検索装置１と通信する。
【００１１】
エレベータ装置で何らかの故障が発生すると、故障発生前後のある一定時間に対して、エレベータに備えられた多数のセンサの状態を示す信号値のスナップショット（トレースデータ）が通信装置８によって取得される。例えば、トレースデータには、エレベータ装置自体を特定するための信号、時刻を示す信号、制御盤７の電流値及び電圧値を示す信号、電動機６の速度及びトルクを示す信号、ドアの開閉状態を示す信号、かご２の位置を示す信号、及び安全装置の動作状態を示す信号等が含まれる。トレースデータに含まれる信号は、上記例に限定されない。例示した信号の一部がトレースデータに含まれなくても良い。トレースデータに他の信号が含まれても良い。
【００１２】
図２は、トレースデータの例を示す図である。図２は、４つのトレースデータの例を示す。トレースデータに含まれる信号の表記は、１種類に限定されない。例えば、２進数で表記される信号、１６進数で表記される信号及び１０進数で表記される信号がトレースデータに混在しても良い。また、いろいろな信号長の信号がトレースデータに混在しても良い。通信装置８は、トレースデータを取得すると、取得したトレースデータを検索装置１に送信する。
【００１３】
検索装置１は、例えば記憶部９、読込部１０、第１類似度算出部１１、第２類似度算出部１２、表示制御部１３及び表示器１５を備える。以下に、図３から図６も参照し、検索装置１の機能及び動作について説明する。図３は、この発明の実施の形態１における検索システムの動作例を示すフローチャートである。
【００１４】
読込部１０は、トレースデータを読み込む。検索装置１に接続された何れかのエレベータ装置で故障が発生すると、そのエレベータ装置の通信装置８から故障発生時のトレースデータが送信される。通信装置８から送信されたトレースデータは、読込部１０によって読み込まれる（Ｓ１０１）。読込部１０が読み込むトレースデータには多数の信号が含まれる。トレースデータに含まれる信号の順番は、予め定められている。
【００１５】
記憶部９に、読込部１０によって過去に読み込まれた複数のトレースデータが記憶される。即ち、読込部１０によって読み込まれたトレースデータは、記憶部９に蓄積されていく。以下の説明では、読込部１０によって新たに読み込まれたトレースデータを「トレースデータＡ」と表記する。記憶部９に記憶された過去のトレースデータを「トレースデータＢ」と表記する。記憶部９には、多数のトレースデータＢが記憶される。
【００１６】
第１類似度算出部１１は、トレースデータＡに含まれる信号とトレースデータＢに含まれる信号との類似度を算出する（Ｓ１０２）。トレースデータＡに含まれる信号の種類は、トレースデータＢに含まれる信号の種類と基本的に同じである。トレースデータＡ及びトレースデータＢには、対応する信号が含まれる。第１類似度算出部１１は、トレースデータＡ及びトレースデータＢにおいて、対応する信号間の類似度を算出する。即ち、第１類似度算出部１１は、トレースデータＡに含まれるある信号とトレースデータＢに含まれる信号のうちトレースデータＡに含まれる当該信号に対応する信号との類似度を算出する。
【００１７】
第１類似度算出部１１は、トレースデータＡに含まれる各信号について、トレースデータＢに含まれる信号との類似度を算出する。例えば、第１類似度算出部１１は、トレースデータＡに含まれるトルク信号とトレースデータＢに含まれるトルク信号との類似度を算出する。他の例として、第１類似度算出部１１は、トレースデータＡに含まれるドア開閉信号とトレースデータＢに含まれるドア開閉信号との類似度を算出する。
【００１８】
図４及び図５は、第１類似度算出部１１の機能を説明するための図である。第１類似度算出部１１は、例えば、動的計画法（ＤＰマッチング）を用いて信号間の類似度を算出する。例えば、トレースデータＡに含まれるある信号（００００１１１１）とその信号に対応するトレースデータＢに含まれる信号（０００００１１１）とを比較する場合を考える。動的計画法による類似度の算出は、図４及び図５に示すように一方の信号を縦に、他方の信号を横に並べ、移動ペナルティと不一致ペナルティとを考慮しながら左上の桝目から右下の桝目に値を入力していくことよって行われる。そして、左上の桝目から右下の桝目に向かってペナルティが最小となる経路を探索する。
【００１９】
図４に示す例では、右方向の移動ペナルティを＋１、下方向の移動ペナルティを＋１、右下への斜め方向の移動ペナルティを０に設定している。また、値が一致する場合のペナルティを０、値が不一致の場合のペナルティを＋１に設定している。この場合、上記信号間の類似度は１と算出される。図５に示す例では、右方向の移動ペナルティを＋１、下方向の移動ペナルティを＋１、右下への斜め方向の移動ペナルティを０に設定している。また、値が一致する場合のペナルティを０、値が不一致の場合のペナルティを＋３に設定している。この場合、上記信号間の類似度は２と算出される。図４及び図５に示す例では、比較する信号同士が似ている程、第１類似度算出部１１によって算出される類似度の値は小さくなる。なお、移動ペナルティの設定方法及び不一致ペナルティの設定方法は、これらの例に限定されない。また、第１類似度算出部１１が類似度を算出する方法は、動的計画法に限定されない。
【００２０】
第２類似度算出部１２は、トレースデータＡとトレースデータＢとの類似度を算出する（Ｓ１０３）。第２類似度算出部１２は、第１類似度算出部１１によって算出された複数の類似度に基づいて上記算出を行う。例えば、トレースデータＡ及びトレースデータＢのそれぞれに１００個の信号が含まれている場合、第１類似度算出部１１によって各信号の類似度が算出される。即ち、第１類似度算出部１１は、１００個の類似度を算出する。第２類似度算出部１２は、第１類似度算出部１１によって算出された１００個の類似度に基づいて上記算出を行う。
【００２１】
例えば、第２類似度算出部１２は、次式によってトレースデータＡとトレースデータＢとの距離Ｌを算出する。Ｌｉは信号ｉの類似度、ＮはトレースデータＡ（或いは、トレースデータＢ）に含まれる信号数である。
【００２２】
【数１】
0006520539.tif 000002
【００２３】
第２類似度算出部１２は、式１によって求めた距離Ｌを用いて、トレースデータＡとトレースデータＢとの類似度Ｐｍａｔｃｈを次式によって算出する。
【００２４】
【数２】
0006520539.tif 000003
【００２５】
Ｌｍａｘは、トレースデータＡとトレースデータＢとの距離Ｌの最大値である。Ｌｍａｘは、例えば全ての信号の値が１であるトレースデータＡと全ての信号の値が０であるトレースデータＢとの距離に相当する。なお、第２類似度算出部１２が類似度を算出する方法は、上記例に限定されない。
【００２６】
記憶部９には、複数のトレースデータＢが記憶されている。検索装置１では、トレースデータＡと各トレースデータＢとの類似度を算出する。このため、検索装置１では、トレースデータＡと１つのトレースデータＢとの類似度が算出されると、全てのトレースデータＢについて類似度が算出されたか否かを判定する（Ｓ１０４）。トレースデータＡとの類似度が算出されていないトレースデータＢがあれば（Ｓ１０４のＮｏ）、そのトレースデータＢに対してＳ１０２の処理とＳ１０３の処理とが行われる。即ち、第１類似度算出部１１は、トレースデータＡに含まれる信号とそのトレースデータＢに含まれる信号との類似度を算出する。第２類似度算出部１２は、トレースデータＡとそのトレースデータＢとの類似度を算出する。
【００２７】
表示制御部１３は、表示器１５を制御する。トレースデータＡと各トレースデータＢとの類似度が算出されると（Ｓ１０４のＹｅｓ）、表示制御部１３は、第２類似度算出部１２による算出結果を表示器１５に表示させる。例えば、表示制御部１３は、第２類似度算出部１２によって算出された類似度順に、トレースデータＢを示す情報を表示器１５に表示させる（Ｓ１０５）。
【００２８】
図６は、表示器１５の表示例を示す図である。図６は、表示制御部１３が、第２類似度算出部１２によって算出された類似度が高い順にトレースデータＢを特定する情報を表示器１５に表示させる例を示す。また、図６は、トレースデータＢを特定する情報として、故障が発生した日時と故障が発生したエレベータ装置とを示す情報が表示器１５に表示される例を示す。表示器１５に表示される情報は、図６に示す例に限定されない。
【００２９】
上記構成を有する検索システムであれば、複数の信号を含む信号群に類似する信号群を簡単な構成によって検索できる。エレベータの監視員及び保守員は、表示器１５に表示されたトレースデータＢの内容を精査することにより、トレースデータＡを送信してきたエレベータ装置で発生した故障の原因を推定することができる。
【００３０】
本実施の形態では、検索装置１が表示器１５を備える例について説明した。表示器１５は、外部の装置に備えられても良い。かかる場合、表示制御部１３は、第２類似度算出部１２による算出結果を表示器１５に表示させるための情報を外部の装置に送信する。
【００３１】
本実施の形態では、第２類似度算出部１２による算出結果を表示器１５に表示させる例について説明した。これは一例である。エレベータの監視員或いは保守員が第２類似度算出部１２による算出結果を後から利用することができるように、第２類似度算出部１２による算出結果を検索装置１内に保存しておいても良い。
【００３２】
本実施の形態では、第１類似度算出部１１が動的計画法を用いて信号間の類似度を算出する例について説明した。トレースデータＡには、例えば、信号長が異なる複数の信号が含まれる。この場合、各トレースデータＢにも信号長が異なる複数の信号が含まれる。本実施の形態で開示した類似度の算出方法では、第１類似度算出部１１が算出する類似度の最大値が信号長に依存する。
【００３３】
図７は、信号間の類似度の最大値が信号長に依存する例を示す図である。図７に示す例では、図４に示す例と同様に、右方向の移動ペナルティを＋１、下方向の移動ペナルティを＋１、右下への斜め方向の移動ペナルティを０に設定している。また、値が一致する場合のペナルティを０、値が不一致の場合のペナルティを＋１に設定している。図７に示すように、信号長が２である信号間の類似度の最大値は２となる。一方、信号長が８である信号間の類似度の最大値は８となる。
【００３４】
第１類似度算出部１１は、類似度の最大値が信号長に因らず同じ値になるように信号間の類似度を算出しても良い。例えば、第１類似度算出部１１は、次式によって類似度を算出する。
【００３５】
【数３】
0006520539.tif 000004
【００３６】
第１類似度算出部１１は、信号の重要度を考慮し、重要度が同じ信号については、類似度の最大値が信号長に因らず同じ値になるように信号間の類似度を算出しても良い。この場合、トレースデータＡには、例えば、重要度及び信号長が異なる複数の信号が含まれる。各トレースデータＢにも、重要度及び信号長が異なる複数の信号が含まれる。第１類似度算出部１１は、例えば次式によって類似度を算出する。
【００３７】
【数４】
0006520539.tif 000005
【００３８】
実施の形態２．
図８は、この発明の実施の形態２における検索システムの構成例を示す図である。図８に示す検索システムは、検索装置１が特定部１４を更に備える点において図１に示す構成と相違する。検索システムの他の構成及び機能は、実施の形態１で開示した何れかの構成及び機能と同じである。
【００３９】
特定部１４は、トレースデータＢに含まれる信号の中から除外信号を特定する。除外信号は、信号間の類似度の算出が不要な信号である。即ち、第１類似度算出部１１は、特定部１４によって特定された除外信号については、信号間の類似度を算出しない。
【００４０】
トレースデータＢに含まれる信号の中には、故障との関連性が極めて低い信号が存在する。そのような信号は、特定部１４によって除外信号と特定される。例えば、エレベータ装置自体を特定するための信号は、特定部１４によって除外信号と特定される。特定部１４は、例えばキーボードのような入力端末から入力された情報に基づいて、除外信号を特定する。
【００４１】
特定部１４は、記憶部９に記憶された情報に基づいて除外信号を特定しても良い。かかる場合、例えば、各トレースデータＢは、エレベータの故障箇所を示す故障情報と紐付けて記憶部９に記憶される。図９は、この発明の実施の形態２における検索システムの動作例を示すフローチャートである。図９は、特定部１４が除外信号を特定するための処理フローを示す。
【００４２】
特定部１４は、同じ故障情報が紐付けられたトレースデータＢを記憶部９から取得する（Ｓ２０１）。例えば、特定部１４は、電源回路を示す故障情報が紐付けられた多数のトレースデータＢを記憶部９から取得する。
【００４３】
特定部１４は、同じ故障情報が紐付けられたトレースデータＢについて、相互に信号間の類似度を算出する（Ｓ２０２）。即ち、特定部１４は、Ｓ２０１で取得したトレースデータＢの全ての組み合わせについて、信号間の類似度を算出する。特定部１４が信号間の類似度を算出する方法は、例えば第１類似度算出部１１が信号間の類似度を算出する方法と同じである。
【００４４】
次に、特定部１４は、除外候補信号を特定する（Ｓ２０３）。除外信号は、除外候補信号の中から選ばれる。例えば、特定部１４は、Ｓ２０２で算出した類似度のばらつきが大きい信号を除外候補信号に特定する。例えば、かご位置は、電源回路の故障との関連性が低い。このため、電源回路を示す故障情報が紐付けられたトレースデータＢについて信号間の類似度を算出すると、かご位置を示す信号間の類似度は様々な値を取る。特定部１４は、かご位置を示す信号間の類似度のばらつきが閾値を超える場合、かご位置を示す信号を電源回路における除外候補信号に特定する。
【００４５】
特定部１４は、全ての故障情報における除外候補信号を特定する。このため、特定部１４は、１つの故障情報における除外候補信号を特定すると、全ての故障情報について除外候補信号が特定されたか否かを判定する（Ｓ２０４）。除外候補信号が特定されていない故障情報があれば（Ｓ２０４のＮｏ）、その故障情報が紐付けられたトレースデータＢが取得され、取得されたトレースデータＢに対してＳ２０２の処理とＳ２０３の処理とが行われる。これにより、全ての故障情報について除外候補信号が特定される。
【００４６】
全ての故障情報について除外候補信号が特定されると（Ｓ２０４のＹｅｓ）、特定部１４は、除外信号を特定する（Ｓ２０５）。特定部１４は、例えば全ての故障情報について類似度のばらつきが閾値を超える信号を除外信号に特定する。即ち、特定部１４は、全ての故障情報における除外候補信号に同じ信号が含まれていれば、その信号を除外信号に特定する。これにより、故障箇所に因らず様々な値を取る信号については、第１類似度算出部１１による類似度の算出対象から除外される。
【００４７】
上記構成を有する検索システムであれば、トレースデータに含まれる、故障との関連性が極めて低い信号を類似度の算出対象から除外することができる。第２類似度算出部１２によって算出された類似度が故障内容との類似性をより強く表すことになるため、故障原因の推定をより容易に行うことができるようになる。
【００４８】
実施の形態３．
本実施の形態における検索システムの構成は、実施の形態１或いは２で開示した構成と同じである。本実施の形態では、表示制御部１３が表示器１５に故障箇所を表示させる例について説明する。本実施の形態では、各トレースデータＢは、エレベータの故障箇所を示す故障情報と紐付けて記憶部９に記憶される。本実施の形態における検索システム他の機能は、実施の形態１或いは２で開示した何れかの機能と同じである。
【００４９】
図１０は、この発明の実施の形態３における検索システムの動作例を示すフローチャートである。図１０に示すＳ３０１からＳ３０４の処理は、図３に示すＳ１０１からＳ１０４の処理と同じである。
【００５０】
トレースデータＡと各トレースデータＢとの類似度が算出されると（Ｓ３０４のＹｅｓ）、表示制御部１３は、第２類似度算出部１２によって算出された類似度とトレースデータＢに紐付けられた故障情報とに基づいて、発生している可能性が高い故障箇所を表示器１５に表示させる（Ｓ３０５）。
【００５１】
例えば、表示制御部１３は、第２類似度算出部１２によって算出された類似度が高い順にトレースデータＢを並べ、類似度が高い複数のトレースデータＢを抽出する。表示制御部１３は、例えば、類似度が高い上位一定数のトレースデータＢを抽出する。例えば、表示制御部１３は、類似度が高い上位１００位までのトレースデータＢを抽出する。他の例として、表示制御部１３は、類似度が基準値を超えるトレースデータＢを抽出しても良い。
【００５２】
次に、表示制御部１３は、抽出したトレースデータＢの故障箇所を特定する。この特定は、例えば、抽出したトレースデータＢに紐付けられた故障情報に基づいて行われる。例えば、１００個のトレースデータＢを抽出した場合、表示制御部１３は、この１００個のトレースデータＢについて故障箇所を特定する。表示制御部１３は、抽出した全てのトレースデータＢについて故障箇所を特定すると、数が多い順に表示器１５に故障箇所を表示させる。
【００５３】
図１１は、表示器１５の表示例を示す図である。例えば、抽出したトレースデータＢのうち、故障箇所が制御盤であるデータが５０個、故障箇所が電源回路であるデータが３０個、故障箇所が巻上機であるデータが１５個、及び故障箇所が通信カードであるデータが５個である場合に、図１１に示すような表示が行われる。
【００５４】
上記構成を有する検索システムであれば、故障が発生している可能性が高い箇所を故障箇所候補として表示器１５に表示させることができる。エレベータの監視員及び保守員は、表示器１５に表示された故障箇所候補を優先的に調べるといった適切な対応を取ることができる。
【００５５】
実施の形態１から３では、検索装置１がエレベータ装置に接続される例について説明した。検索装置１が信号群を取得する先は、エレベータ装置に限定されない。検索装置１は、他の設備或いはプラント等から情報群を取得しても良い。
【００５６】
符号９〜１４に示す各部は、検索装置１が有する機能を示す。図１２は、検索装置１のハードウェア構成を示す図である。検索装置１は、ハードウェア資源として、例えば入出力インターフェース１６とプロセッサ１７とメモリ１８とを含む回路を備える。記憶部９が有する機能はメモリ１８によって実現される。また、検索装置１は、メモリ１８に記憶されたプログラムをプロセッサ１７によって実行することにより、各部１０〜１４が有する各機能を実現する。各部１０〜１４が有する各機能の一部又は全部をハードウェアによって実現しても良い。
【符号の説明】
【００５７】
１  検索装置
２  かご
３  つり合いおもり
４  主ロープ
５  駆動綱車
６  電動機
７  制御盤
８  通信装置
９  記憶部
１０  読込部
１１  第１類似度算出部
１２  第２類似度算出部
１３  表示制御部
１４  特定部
１５  表示器
１６  入出力インターフェース
１７  プロセッサ
１８  メモリ
【図１】
0006520539.tif 000006
【図２】
0006520539.tif 000007
【図３】
0006520539.tif 000008
【図４】
0006520539.tif 000009
【図５】
0006520539.tif 000010
【図６】
0006520539.tif 000011
【図７】
0006520539.tif 000012
【図８】
0006520539.tif 000013
【図９】
0006520539.tif 000014
【図１０】
0006520539.tif 000015
【図１１】
0006520539.tif 000016
【図１２】
0006520539.tif 000017